(57)【要約】      （修正有）【課題】柱鉛直矯正作業を、微調節しながら小さい力で容易に行え、筒体側端の受け金具を交換せずに根太無しでも根太有り工法でも行え、かつセット角の設定を容易・迅速に行えるようにした建築用柱鉛直矯正装置を提供する。【解決手段】建築用柱鉛直矯正装置おいて、外側筒体１内の内側筒体２を所望長さで掛止するロック部３は、内側筒体に長手方向へラック状条材７を固着して、外側部材にラック状条材を所望位置で掛止可能な掛止爪８を、ジャッキ部６はネジ棒９を上半部と下半部で逆ネジに形成してその中間部にラチェット部１１を設け、各受け金具は、Ｖ字状部１２，１３にＵ字状の基部１４，１５を形成して筒体側に連結する。下側になる筒体の受け金具のＶ字状部の一片を他方より長めに形成して、少なくともその下面に掛止用突起１９を設け、かつ該受け金具の基部を横軸１６で可回動にすると共に、所定のセット角度αで回動を係止するストッパ１７を設ける。【選択図】図２
0003187989.tif 000002
【実用新案登録請求の範囲】
【請求項１】
下側の外側筒体１に摺動可能な内側筒体２を、所望の長さで掛止するロック部３を有すると共に、各筒体１，２の側端部にＶ形状に開いた受け金具４，５を有し、外側筒体１に押上げ用のネジ棒式ジャッキ部６を備えてなる建築用柱鉛直矯正装置おいて、  上記ロック部３は、内側筒２の外側面に別体形成のラック状条材７を長手方向へ固着して、外側筒体１にラック状条材７のラックを所望位置で掛止可能な掛止爪８を設け、
ジャッキ部６のネジ棒９は上半部と下半部で逆ネジに形成すると共に、その中間部にレバー１０の操作で可回動なラチェット部１１を設け、
外側部材１と内側部材２の各受部材４，５は、ほぼ直角状に開いたＶ字状部１２，１３の各基部１４，１５をＵ字状に形成して、筒体１，２の側端部に連結し、
上記外側筒体１の受け金具４の基部１４を横軸１６で可回動にすると共に、据付け開始時の筒体１，２を水平面ｇに対して所定のセット角度αで係止するストッパ１７を設け、  かつ該外側部材１のＶ字状部１４の一片を他方より長めに形成して、少なくともその下側面に掛止用突起１９を突設してなる、建築用柱鉛直矯正装置。
【考案の詳細な説明】
【技術分野】
【０００１】
本考案は、主として木造や複合軽量鉄骨の家屋等を建築時に、立設された柱が鉛直になるように矯正する装置（建起し機とか屋直し機等とも言わる）に関するものである。
【背景技術】
【０００２】
木造家屋の建築時には従来一般に、基礎上部に根太や土台等の横材を横設して、その上部に通柱や間柱等の縦材を立設し、該柱上部間に梁材を架設して家屋の骨組みを形成してから、屋根や壁面を形成して完成していくものである。
【０００３】
そのため、立設した柱は鉛直になり、梁は水平になるように設置される必要があるが、組付け連結した柱が鉛直になっているとは限らない。そのため、梁と組付け・連結した状態の柱を、鉛直状態になるように矯正して筋交い等で建て込みを行っている。
【先行技術文献】
【特許文献】
【０００４】
上記の如く、梁と組付けた状態の柱を鉛直状態に矯正する建起し機や屋直し機と称されるものについては、従来から幾つかのものが提案されている。ロープで引っ張るものもあったが、近時は一般に下記のようなものがある。その構造の基本的構成は、外側筒体とその内部で摺動可能な内側筒体とからなり、それぞれの側端部に受け金具を有すると共に、両筒体からなる長さを所望長さで掛止可能なロック部と、筒体を押し上げるるジャッキ部を備えたものである。
【０００５】
【特許文献１】実公昭５９−１１５５８公報    これは柱間隔調整具であって、本願考案の柱鉛直矯正装置とは異なるが、この特徴は筒体押上げにネジ棒式ジャッキ機構を用いて、その回動にラチェット機構を用いている。
【０００６】
【特許文献２】実開平４−２１６７８公報    これは、本願発明と同じ柱鉛直矯正装置であるが、その特徴は上記の一般的な構造のものにおいて、筒体押上げ用のジャッキ機構を油圧式としたものである。
【０００７】
【特許文献３】実用新案登録第２６０３８２１号（実開塀７−２１９１１号公報）    この特徴は上記の一般的な構造のものにおいて、筒体両側の支持部材や柱受け部材をＶ形状にすると共に、筒体押し上げ時には筒体を持って回動するようにし、かつ回動し易いようにベアリング球を内装したものである。
【０００８】
【特許文献４】実用新案登録第３０００７４２号公報    これは、上記の特許文献３のものと同一出願人のものであって、この特徴は套合された両筒体を持って回動し易いように筒体を角形に形成したものである。
【０００９】
【特許文献５】特開２００８−９５４６３公報    これも、上記の特許文献３のものと同一出願人のものであって、上記の特許文献４のものにおいて、筒体押上げ用に筒体自体を回動させるもので、その回動を容易にするため筒体を角形状とすると共に、その上端部に縦軸方向に対して回転のみが可能なＶ形受け具を設け、下端部に裏面にスパイクを有するプレートを横軸に回転可能に設け、かつ筒体の一部に水平面に対する筒体の傾斜角度（セット角度）が一定角度以下にするため、角度指示器を設けたものである。
【考案の概要】
【考案が解決しようとする課題】
【００１０】
ところが、上記従来技術には未だ問題点が残っている。まず特許文献１のものは、柱間隔調整具であるから、これをそのまま柱鉛直矯正装置に利用できない。
また上記特許文献２のものは、ジャッキを油圧式にしてあるので、構造上から操作性や作動性に難がある場合がある。
【００１１】
上記特許文献３のものは、筒体押上げのために筒体自体を回動させてネジ棒式ジャッキにより押し上げるものであるが、装置には大きな力がかかっているので、筒体の回動力にも大きな力が必要である。そのため、その回動を容易にするため筒体を角形状とし、かつベアリング球を用いているが、それでも手にかなりの力を加える必要がある。
【００１２】
上記特許文献４のものも、筒体押上げに筒体を回動させる構造であり、ベアリング球を用いる必要があるし、かつ筒体に回動操作用の取手部を設けても、やはり筒体の回動にはかなりの力が必要であった。
【００１３】
上記特許文献５のものも、上記特許文献３や４と同様に、筒体押上げのために筒体自体を回動させるものであり、その回動を容易にするため筒体を角形状としてあっても、その回動にはかなりの力が必要となる。
またこれは、下側となる筒体下部の受け具がスパイク付きのプレートであるため、柱鉛直矯正作業を根太無し工法では、受け金具を床パネルに直接掛止して行う場合は良いが、根太有り工法で受け金具を根太や土台に固定して行う場合には用いることができない。その受け金具を取り外してＶ字状の別の受け金具に交換する必要がある。
【００１４】
さらに、作業時の筒体は水平面に対して所定のセット角度になるように設置する必要がある。セット角が大き過ぎると梁を持ち上げてしまい、小さ過ぎると押し上げる力が小さく、また係止用突起が床パネルから外れるからである。しかし、ここでは筒体の一部に角度指示器が設けられたものであるため、作業者はそれを目で見て確認しながら設置する手間がかかる、等の問題点がある。
【００１５】
本考案は上記従来技術の問題点を解決しようとするものである。即ち本考案の目的は、柱鉛直矯正作業時において、装置の筒体を掴んで大きな力で回動させなくても、小さい力で容易にかつ微調節しながら行えるようにし、また筒体両側端の受け部材を交換せずに、根太無し工法でも根太有り工法でも用いることができ、かつ受け部材が根太・土台・梁等の横柱を面接触で確実で強固に受けられ、しかもセット角の設定を容易・迅速に行えるような、建築用の柱鉛直矯正装置を提供することにある。
【課題を解決するための手段】
【００１６】
本考案に係る建築用柱鉛直矯正装置Ａは、
下側の外側筒体１に摺動可能な内側筒体２を、所望の長さで掛止するロック部３を有すると共に、各筒体１，２の側端部にＶ形状に開いた受け金具４，５を有し、外側筒体１に押上げ用のネジ棒式ジャッキ部６を備えてなる建築用柱鉛直矯正装置において、
上記ロック部３は、内側筒２の外側面に別体形成のラック状条材７を長手方向へ固着して、外側筒体１にラック状条材７のラックを所望位置で掛止可能な掛止爪８を設け、
ジャッキ部６のネジ棒９は上半部と下半部で逆ネジに形成すると共に、その中間部にレバー１０の操作で可回動なラチェット部１１を設け、
外側部材１と内側部材２の各受部材４，５は、ほぼ直角状に開いたＶ字状部１２，１３の各基部１４，１５をＵ字状に形成して、筒体１，２の側端部に連結し、
上記外側筒体１の受け金具４の基部１４を横軸１６で可回動にすると共に、該受け金具４に、据付け開始時の筒体１，２を水平面ｇに対して所定のセット角度αで係止するストッパ１７を設け、
かつ該外側部材１のＶ字状部１４の一片を他方より長めにして、少なくともその下側面に掛止用突起１９を突設してなるものである。
【００１７】
上記構成において、ジャッキ部６のネジ棒９を上半部と下半部とで逆ネジに形成したのは、ネジ棒９の回動による押し上げ量を、ネジが一方向だけのものよりも大きくするためである。
【００１８】
各受け金具４，５の各Ｖ字状部１２，１３の開いた角度をほぼ直角状としたのは、根太２０や土台等の断面４角形の横材に係合可能とするためであるから、９０〜９５度位までとするのがよい。
【００１９】
外側金具１の受け金具４で、Ｖ字状部１２の一片を他方より長めにしたのは、根太無し工法での作業を行う場合に、該の受け金具１が床バネル２１等に対して広い面積で当接し得るようにするためである。
【００２０】
また該外側筒体１の受け金具４に設けたストッパ１７は、横軸１６で可回動な該受け金具４が、筒体１，２が水平面ｇに対して所定の角度、即ちセット角度αになるように回動を阻止するためである。何故なら上記のように、セット角αが大き過ぎると梁２９を持ち上げてしまい、小さ過ぎると押し上げる力が小さく、また掛止用突起１９が床パネル２１から外れるからである。そこで作業の安全上からも、セット角αは通常、４５度程度ないし６０度程度の範囲内の一定角度に設定しておくのが習いとなっている。
【考案の効果】
【００２１】
上記考案に係る建築用柱鉛直矯正装置Ａの使用状態は、従来のものと同様に、上側になる内側筒体２の受け金具５を梁２９に係合させた後、所定のセット角αになる長さに両筒体１，２を引き延ばしてロック部３で掛止し、下側の外側筒体１の受け金具４を根太２０や土台に係合させ、または床パネル２１上に掛止させる。この状態でレバー１０を操作してラチェット部１１を介してネジ棒９を回動させることで、ジャッキ部６により筒体１，２を伸長して押し上げればよく、これで柱の鉛直矯正を行うものである。
【００２２】
本考案は次のような効果を奏する。
１）従来のように筒体を手掴んで大きな力で回動させなくても、小さい力で容易にかつ微調節しながら柱等の鉛直矯正を行なうことができるようになる。
【００２３】
従来のこの種の装置では、柱等を鉛直矯正作業をする際に筒体を手で掴んで捩じるように回動させることで、ジャッキによる押し上げ力を得ている。そのため、荷重が加わっている梁を押し上げには、かなり大きな力で筒体を捩じる必要があり、作業者もその作業に四苦八苦していた。
【００２４】
これに対して本考案の装置では、ネジ棒式ジャッキ部６のネジ棒９の中間部分に、レバー１０付のラチェット部１１を設けてある。そのため柱鉛直矯正作業は、レバー１０の往復動操作でラチェット部１１の爪によりネジ棒９が回動するから、比較的小さい力でかつネジ棒９の回動量を微調節しながら行うことができる。これにより、本装置による鉛直矯正作業は容易に、かつレバー１０を動かす幅、言い換えればネジ棒９の回動量を調節することで、筒体１，２の伸長を微調整しながら柱鉛直矯正作業を行えるようになる。
【００２５】
また上記ジャッキ部６の操作は、ネジ棒９が上側と下側とで逆ネジを切ってあるので、１回のレバー操作によるネジ棒９の回動で筒体１，２か伸長して押し上げられる量は大きくなっており、従来の一方向だけのネジを切ったネジ棒式ジャッキと比べて、必要なら約２倍のスピードで柱鉛直矯正作業を行うことができる。
【００２６】
２）本考案に係る装置では、その各受け金具４，５が根太・土台や梁を面接触で係合して受けることができるから、ジャッキ部６による押し上げ力を効率よく利用できるし、受け金具４，５が根太２０、土台や梁２９をキズを付けることも無くせる。
【００２７】
即ち、従来の受け金具で断面形状が単にＶ字状のものでは、根太・土台や梁等の断面寸法や受け金具の傾きによってそれらに充分に係合させられず線接触となり、柱鉛直矯正作業での押し上げ力を効率よく利用できなかったり、押し上げ力を受けた根太や土台、または梁等をキズ付けることがあった。
【００２８】
これに対して本考案の各受け金具４，５は、各Ｖ字状部１２，１３の基部１４，１５をＵ字状に形成してある。そのため、例えば根太２０の断面寸法が大きいものに対しても、また受け金具４，５の傾きに対しても、根太２０等断面形状の隅角部をＵ字状・基部１４，１５内に係合させることができる。したがって、ほぼ直角状に開いたＶ字状部１２，１３が根太２０を余裕をもって係合し、面接触で受けることができる（例えば図８参照）。これにより、柱鉛直矯正作業での押し上げ力を効率よく利用できると共に、根太２０等をキズ付けることも無くすことができる。
【００２９】
３）下側の外側筒体１の受け金具４を交換せずとも、根太無し工法でも根太有り工法でも、柱鉛直矯正作業を行うことができる。
【００３０】
従来のこの種の装置の多くは受け金具が単なるＶ字状のものであるため、根太無し工法では利用できない。また特許文献５に記載のように、受け金具がスパイク付プレートのものでは、根太無し工法で用いられても、根太有り工法では用いることができないから、受け金具を別のものに交換する手間を要した。
【００３１】
本考案の外側筒体１の受け金具４は、Ｖ字状部１２の一片を他方より長めにして張出し片１８とし、少なくともその下側面に掛止用突起１９を突設してある。そのため、根太有り工法では、そのＶ字状部１２を根太２０、土台等の横柱に係合させて用いればよいし（例えば図８参照）、また根太無し工法では、Ｖ字状部１２の張出し片１８を床パネル２１等に当接させ、その下面の掛止用突起１９で掛止させて用いることができる（例えば図７参照）。したがって、受け金具４を交換すること無しに、根太有り工法でも根太無し工法でも、そのまま用いて作業することができる。
【００３２】
４）本考案の装置では、セット角αのことを気にかけることなく作業を行える。
上記の如く、柱鉛直矯正装置を据付け開始時に、筒体が水平面に対してなす角度即ちセット角αが、大き過ぎると梁を持ち上げてしまうし、小さ過ぎると梁を押し上げる力が小さく、かつ下側の受け金具の係止用突起が床パネルから外れてしまう。そこで、本装置の設置時即ち据付け開始時に、セット角αが所定の角度になるようにしておく必要がある。従来の装置では、目分量での判断、または例えば上記特許文献５に記載のように筒体に設けられた角度支持器を、目で見て確認しながら作業をする必要があり、手間がかかった。        
【００３３】
これに対して本考案の装置では、外側筒体１に対して横軸１６で可回動な受け金具４を、所定のセット角αまで回動した状態でストッパ部１７がそれ以上の回動を係止するようにしてある。そのため、ストッパ部１７で係止された際の筒体１，２の傾斜が予め定めた所定のセット角αであり、これで装置を据付け開始する際のセット作業が容易かつ迅速に完了する。後はラチェット部１１のレバー１０を往復動させて、ジャッキ部６で筒体１，２を押し上げ、梁を２９を押し上げることで柱を鉛直状にすればよい。
【００３４】
したがって、本装置を用いる際に、筒体の傾斜が所定のセット角αになっているか否かを、従来のように表示板の目盛りを確認する必要がなくなり、据付け設置作業は容易・迅速に行うことができる。
【００３５】
５）本考案に係る装置は、耐久性・強度性に優れる。
本考案では、摺動して伸縮可能な両筒体１，２を所望の長さにするためのロック部３は、内側筒体２の外側面に長手方向へ別体形成のラック状条材７を固着してあり、そのラックを外側筒体１に設けた掛止爪８で掛止してロックするようにしてある。
【００３６】
そのため、従来の内側筒体自体の側面に掛止用孔を多数個形成したものと異なり、内側筒体２が補強されて充分な強度を有することになると共に、ラック状条材７自体も筒体の厚みだけ掛止用孔と比べて充分な厚みのあるものにでき（例えば図６参照）、対磨耗性も充分であるし、長期間の使用に耐えられる強度を有するものになっている。
【図面の簡単な説明】
【００３７】
【図１】本考案に係る建築用柱鉛直矯正装置の実施例の一部切り欠き正面図である。
【図２】図１で示したものを根太無し工法で使用時の一部切り欠き正面図である。
【図３】図１で示したものの根太無し工法での使用状態例を示す概略斜視図である。
【図４】図１で示したものの外側筒体の受け金具を示す斜視図である。
【図５】図１で示したもののロック部と内側筒体の受け金具を示す斜視図である。
【図６】図１で示したものの外側筒体と内側筒体とラック状条材を示す一部切り欠き斜視図である。
【図７】図１で示したものを根太無し工法で使用時の下側筒体の受け金具の正面図である。
【図８】図１で示したものを根太有り工法で使用時に、下側筒体の受け金具を根太に係合させた状態を示す正面図である。
【考案を実施するための形態】
【００３８】
外側筒体１内を摺動可能な内側筒体２を所望の長さで掛止可能なロック部３と、各筒体１，２の側端部に受け金具４，５を有し、下側筒体１を押上げ用のネジ棒式ジャッキ部６を備えた建築用柱鉛直矯正装置において、上記ロック部３は、内側筒体２の外側面に別体形成したラック状条材７を長手方向へ固着し、外側部材１にラック状条材７のラックを所望位置で掛止可能な掛止爪８を設け、ネジ棒式のジャッキ部６は、ネジ棒９を上半部と下半部で逆ネジに形成して、その中間部にレバー１０付きのラチェット部１１を設け、各受け金具４，５は、各Ｖ字状部１２，１３の基部１４，１５をＵ字状に形成し、外側筒体１の受け金具４は、Ｖ字状部１２の一片を他方より長めに形成して、少なくとも下面に掛止用突起１９を突設し、かつ該受け金具４を横軸１６で可回動にすると共に、所定のセット角αで回動を阻止するストッパ部１７を設ける。
【実施例１】
【００３９】
図１ないし図８は、本考案に係る柱鉛直矯正装置Ａの実施例を示す。
１は外側筒体を示し、使用時に下側になる筒体であり、ここではアルミ合金製で断面ほぼ正方形状の角筒で、厚み約２．０ｍｍ、長さ約１５００ｍｍのものを用いている。該外側筒体１の上端部には、後記内側筒体２の側面に設けたラック状条材７のラックと噛合して摺動を掛止するために、バネで内方へ付勢された掛止爪８からなるロック部３を設けてある。またその対向する二側面に、補強とガイドを兼ねて内側方への凸条部２２を形成してある。
【００４０】
該外側筒体１の下部には、ネジ棒式のジャッキ部６を連結・固定してある。そのネジ棒９は上半部と下半部とで逆ネジを切ってあって、その中間位置の外周に設けた歯に噛合して回動可能にラチェット１１を設けて、レバー１０で操作可能としてある。
【００４１】
２４は円筒状部材を示し、ジャッキ部６のネジ棒９の下半部に套合して連結してあり、該円筒状部材２４を介して後記下側の受け金具４を設けてある。
【００４２】
外側部材１の受け金具４は、上記円筒状部材２４下端に固着した下向きコ字形材２５に、横軸１６で可回動に設けてある。即ち、該受け金具４は、横軸１６で外側部材１に連結されたＵ字状の基部１４に続いて、ここでは約９２度の角度で斜め下方へ開いたＶ字状部１２を有し、その一片を他方より長めに形成して張出し片１８とし、下側面に掛止用突起１９を突設してある。
【００４３】
また該受け金具４は、上記のように円筒状部材２４下端に横軸１６で可回動に設けてあるが、作業時に水平な床パネル２１上に該受け金具４で掛止されて設置される筒体１，２の傾斜が、ここでは所定のセット角αとして約６０度で阻止されるように、外側筒体１と受け金具４との間でその回動を約６０度で係止するストッパ部１７を設けてある。
【００４４】
即ち、本装置を据付け開始時に、外側筒体１の傾斜角が水平面ｇに対してセット角αがここでは約６０度より大きくならぬように、外側筒体１の受け金具４上面の外側寄り部分が、外側筒体１下部の円筒状部材２４下面の外側部寄り部分と当接して、所定のセット角αが得られるようにしてある（図７，図８参照）。
【００４５】
内側筒体２は、据付け設置後に上側にくる筒体であって、ここでもアルミ合金製で、厚み約２．０ｍｍ、長さ約１５００ｍｍの角筒状であり、上記外側筒体１内へ摺動可能に内装してある。ただその断面形状は図６で示すように、単なる四角筒状ではなく、強度上の観点から、上記外側筒体１内の四隅部分に対応すべく、中央の四角筒状部２６から四方の隅角に向かった補強用斜め片２７を形成し、その各側端に外側筒体１内で摺動可能なＬ形状部２８を形成して、強度をもたせてある。
【００４６】
また該内側筒体２の外側の四側面には各々凹条部２３を形成してあり、その内で対向する二側面の各凹条部は、上記外側筒体１の補強兼ガイド用の凸条部２２を各々係合可能としてあり、他の二側面の各凹条部には、アルミ合金の棒材を切削加工してラックを形成したラック状条材７を各々長手方向に係合させて、上記四角筒条部２６の側面にここではネジで固着してある。該ラック状条材７は、上記の如く外側筒体１上部に設けたロック部３のバネ付掛止爪８で掛止可能となっている。
【００４７】
５は内側筒体２の上部に設けた受け金具を示し、該受け金具５はその基部１５寄りに形成したＵ字状部から、ここでも約９２度の角度で斜め上方へ開いたＶ字状部１３を有するものである。該受け金具５は、内側筒体２の上端に固着ではなく、ややゆとりを持って設けてあり、首振り可能としてある。
【００４８】
なお図示は省略するが、より長いものを必要な場合は、上記外側筒体１と内側筒体２を順次に継ぎ足せるようにして、２倍の長さのものを得るようにしてもよい。また上記セット角αは、ここでは約６０度に設定してあるがそれに限るものではなく、通常は約４５度から約６０度程度の範囲内の一定角度に設定しておくのがよいことは、上記のとおりである。
【産業上の利用可能性】
【００４９】
木造家屋等の建築時に立設された柱を鉛直矯正する必要があるが、従来のものと異なり、レバー１０の操作によるラチェット部１１の回動により比較的小さい力で、容易かつ微調整しながら正確に行え、またジャッキ部６での押し上げスピードを迅速に行え、かつ根太無し工法でも根太有り工法でも受け金具４を交換せずに作業を行え、しかも使用時に容易に所定のセット角度αに設定できて、この種の作業性の向上を図りたい場合に大いに有効である。
【符号の説明】
【００５０】
１−外側筒体                      １６−横軸
２−内側筒体                      １７−ストッパ部
３−ロック部                      １８−張出し片
４−受け金具                      １９−掛止用突起
５−受け金具                      ２０−根太
６−ジャッキ部                    ２１−床パネル
７−ラック状条材                  ２２−凸条部
８−掛止爪                        ２３−凹条部
９−ネジ棒                        ２４−円筒状部材
１０−レバー                        ２５−コ字形材
１１−ラチェット部                  ２６−四角筒状部
１２−Ｖ字状部                      ２７−斜め条部
１３−Ｖ字状部                      ２８−Ｌ形条部
１４−基部                          ２９−梁
１５−基部                            ｇ−水平面
α−セット角
【図１】
0003187989.tif 000003
【図２】
0003187989.tif 000004
【図３】
0003187989.tif 000005
【図４】
0003187989.tif 000006
【図５】
0003187989.tif 000007
【図６】
0003187989.tif 000008
【図７】
0003187989.tif 000009
【図８】
0003187989.tif 000010